(57)【要約】      （修正有）【課題】釣り糸を緩めることなく巻きつけて、かつ釣り針や釣り糸をからませることなく確実に保持でき、また釣り糸に巻きぐせが付かない仕掛け針巻取り具を提供する。【解決手段】直径が異なる２枚の円板と、該２枚の円板の間で円周方向に間隔をあけて配置された多数の円板接続板３と、円板接続板３の上部に多数本の仕切りピン４が半径方向外側に延びるように設けられている仕掛け針巻取り具とする。糸巻き部も針掛け部も円周方向に配置された多数本の仕切りピン４であり円筒状であるため、糸巻き部に巻き掛けられた釣り糸には強い曲げぐせが生ずることはない。【選択図】図４
0003185135.tif 000002
【実用新案登録請求の範囲】
【請求項１】
直径が異なる２枚の円板１、２と、前記２枚の円板１、２の間で円周方向に間隔をあけて配置された複数の円板接続板３と、それぞれの円板接続板３の外表面部に半径方向外側に突出するように設けられた仕切りピン４とからなり、円板接続板３の外表面部が、直径が異なる２枚の円板１、２の内の直径が小さい方の円板２の外周面と同一であり、仕切りピン４の先端部同士をつないで形成される円の直径は、直径が異なる２枚の円板１、２のうちの直径が大きい円板１と同一またはそれより小さく、かつ、直径が異なる２枚の円板１、２のうちの直径が小さい円板２の直径よりも大きいことを特徴とする仕掛け針巻取り具。
【考案の詳細な説明】
【技術分野】
【０００１】
本考案は、魚釣り等に用いる仕掛け針巻取り具に関する。
【背景技術】
【０００２】
本考案において仕掛け針Sとは、図６に示すように釣り糸７に複数本の釣り針８を取付け、先端部に錘９をもうけた魚釣り用の仕掛けをいう。このような
仕掛け針Ｓは、釣りたい魚の種類に応じて糸の太さや針の太さや形が異なるものなので、魚釣りの現場において、適切な仕掛け針Ｓを選択して使用することになる。したがって、釣りをする人は、複数の仕掛け針Ｓを持参して釣り現場に行くことが多い。
【０００３】
このような用い方をする仕掛け針Ｓは、多数の釣り針8が付いたものなので、物に引っ掛けたりすることなく、また手指を傷つけずに扱えるようにするため、従来より巻取り具に巻き取っておいて、できるだけ便利で安全に使えるよう工夫されている。
【０００４】
従来、最も一般的に用いられてきた巻取り具は、図５に示すようなものであった。
左右一対の木の枠木１０１、１０２を２本の細い棒１０３，１０４で連結して長四角形の枠組みに構成し、一方の枠木１０１には糸を巻き付けた後に釣り針８を引っ掛けて固定しておくための針掛け１０５が複数個所に取付けられている。図６に示すような仕掛け針Ｓを巻付けるときは、２本の横棒１０３，１０４に釣り糸７を何重にも巻き付け、釣り針８を横に引き出しては針掛け１０５に引っ掛けて固定する。
【０００５】
しかるに、複数の釣り針８の内、端に位置する釣り針が横棒１０３の近くに至るときは、横棒１０３に巻きかけることもできず、かといって糸を緩めて近くの針掛け１０５に引っかけると釣り糸７が緩んでしまい、釣り糸７同士が絡んでしまうという課題が生じる。
また、図5に示す巻き取り具は長四角形状であるため、横棒１０３，１０４に巻きかけられた釣り糸７には、強い巻きぐせがついて、使用中に釣り糸７が真直ぐに張らないので、食い付きの瞬間が分りにくいという課題もある。
【０００６】
釣り糸のからみや釣り針の引っ掛けに係る課題を解決するための方法として、特許文献１に開示された構成がある。これに開示された
技術は、本体ケースに、回転可能に支持された巻取り部材と釣り針を保持する針保持部材とを設けた構成からなる。針保持部材は、針の端部を保持すると共に釣り糸を導出させる保持孔を有している。
この従来技術によると、釣り針や釣り糸のからみは解消されるが、比較的複雑な構造となっているため安価にできないという課題を有している。
【先行技術文献】
【特許文献】
【０００７】
【特許文献１】特開２０００−３３３５７９号公報
【考案の概要】
【考案が解決しようとする課題】
【０００８】
本考案は上記課題を解決するためになされたもので、釣り糸を緩めることなく巻きつけて、かつ釣り針や釣り糸が絡まることなく確実に保持することができ、また釣り糸に巻きぐせが付かない仕掛け針巻取り具を提供することを目的とする。
【課題を解決するための手段】
【０００９】
本考案の仕掛け針巻取り具は、直径が異なる２枚の円板１、２と、前記２枚の円板１、２の間で円周方向に間隔をあけて配置された複数の円板接続板３と、それぞれの円板接続板３の外表面部に半径方向外側に突出するように設けられた仕切りピン４とからなり、円板接続板３の外表面部が、直径が異なる２枚の円板１、２の内の直径が小さい方の円板２の外周面と同一であり、仕切りピン４の先端部同士をつないで形成される円の直径は、直径が異なる２枚の円板１、２のうちの直径が大きい円板１と同一またはそれより小さく、かつ、直径が異なる２枚の円板１、２のうちの直径が小さい円板２の直径よりも大きいことを特徴とする。
【考案の効果】
【００１０】
本考案によれば、直径が異なる２枚の円板１、２と、前記２枚の円板１、２の間で円周方向に間隔をあけて配置された複数の円板接続板３と、それぞれの円板接続板３の外表面部に半径方向外側に突出するように設けられた仕切りピン４とからなり、円板接続板３の外表面部が、直径が異なる２枚の円板１、２の内の直径が小さい方の円板２の外周面と同一であり、仕切りピン４の先端部同士をつないで形成される円の直径は、直径が異なる２枚の円板１、２のうちの直径が大きい円板１と同一またはそれより小さく、かつ、直径が異なる２枚の円板１、２のうちの直径が小さい円板２の直径よりも大きい構成となっている。糸巻き部５も針掛け部６も円周方向に配置された多数の円板接続板３で構成されている。このため、糸巻き部に巻き掛けられた釣り糸には強い曲げぐせが生ずることはない。また、針掛け部は糸巻き部の直ぐ横に隣接しており、かつ多数本の針掛け用の円板接続板を有するので、最も近い針掛け用の円板接続板を選択することにより釣り糸が緩まないように針を引っ掛けることができ、他の糸とのからみも生じないようにできる。また、仕切りがピンであるため隣接するピンの間が空いているので、針や釣り糸を通しやすく扱いやすい巻取り具となる。
また、このような構成とすることで、釣り糸7はスムーズに糸巻き部に巻くことができる。
【図面の簡単な説明】
【００１１】
【図１】本考案の実施の形態にかかる仕掛け針巻き取り具の正面図である。
【図２】同実施の形態の仕掛け針巻き取り具の側面図である。
【図３】同実施の形態の仕掛け針巻き取り具の斜視図である。
【図４】同実施の形態の仕掛け針巻き取り具を用いて仕掛け針を巻き付けた状態を示す図である。
【図５】従来の仕掛け針巻取り具の説明図である。
【図６】従来の仕掛け針の説明図である。
【考案を実施するための形態】
【００１２】
つぎに、本考案の実施形態を図面に基づき説明する。図１は、本考案の実施の形態にかかる仕掛け針巻き取り具の正面図、図２はその側面図、図３はその斜視図である。図４は、本考案の実施の形態にかかる仕掛け針巻き取り具を用いて、仕掛け針を巻き付けた状態を示す図である。
本実施の形態にかかる仕掛け針巻取り具Ａは、直径が異なる２枚の円板１、２と、この２枚の円板１、２の間で円周方向に間隔をあけて配置された複数の円板接続板３と、それぞれの円板接続板３の外表面部に半径方向外側に突出するように設けられた仕切りピン４とからなる。そして、円板接続板３の外表面部が、直径が異なる２枚の円板１、２の内の直径が小さい方の円板２の外周面と同一であり、仕切りピン４の先端部同士をつないで形成される円の直径は、直径が異なる２枚の円板１、２のうちの直径が大きい円板１と同一またはそれより小さく、かつ、直径が異なる２枚の円板１、２のうちの直径が小さい円板２の直径よりも大きいことを特徴とする。
なお、本考案において、同一は完全同一だけでなく、技術常識からほぼ同じと判断される場合も含む。
【００１３】
仕切りピン４は円板接続板３に立設されており、半径方向外側に延びている。この仕切りピン４で、糸巻き部と針掛け部に分けられている。円板１、２、円板接続板３及び仕切りピン４の材料としては、プラスチック材料、木材、金属材料など、強度的に十分なものであり、加工しやすいものであれば任意の材料を選択することができる。
【００１４】
本実施形態の仕掛け針巻取り具Ａは、隣接する仕切りピン４の間には空間があるので、糸巻き部５から針かけ部６に釣り糸７や釣り針８を通しやすく、釣り針８を適当な位置の円板接続板３に固定することで釣り糸７が緩むようなことを防止できる。さらに、糸巻き部５は外周面が円形状であるので、釣り糸７に強い巻きぐせが付くことを防止できる。また、円板接続板３を釣り糸７にもうけられた釣り針８の個数よりも多く設置しておけば、釣り針８は固定しやすい位置の円板接続板７に固定することができ、引っ掛け場所が無くなることはない。
【００１５】
仕切りピン４を立設するために円板接続板3が設けられており、円盤接続板3は針掛け部材である。また、この円板接続板3は２枚の円板１，２を結合する構造部材でもある。
本考案の実施形態によれば、糸巻き部５に巻き掛けられた釣り糸には強い曲げぐせが生ずることはない。このため、使用中に釣り糸が真直ぐに張らないので、食い付きの瞬間が分る。また、針掛け部６は糸巻き部５の直ぐ横に隣接しており、かつ多数の針掛け材を有するので、針を引っ掛けるのに釣り糸が緩むようなこともなく、他の糸とのからみも生じないようにできる。
【符号の説明】
【００１６】
Ａ  仕掛け針巻取り具
１，２ 円板
３ 円板接続板
４ 仕切りピン
５ 糸巻き部
６ 針掛け部
７ 釣り糸
８  釣り針
９  錘
１０  円板接続筒Ａ
１１  円板接続筒Ｂ
１２  仕切り板
１３  接続ピン
Ｓ    仕掛け針
１０１  枠木
１０２  枠木
１０３  棒
１０４  棒
１０５  針掛け
【図１】
0003185135.tif 000003
【図２】
0003185135.tif 000004
【図３】
0003185135.tif 000005
【図４】
0003185135.tif 000006
【図５】
0003185135.tif 000007
【図６】
0003185135.tif 000008